(57)【要約】【課題】  宅外の知人のコンテンツに簡単な操作でアクセスでき、また、公開しているコンテンツ情報及びコンテンツを提供者の許可なく見られないような安全なコンテンツ共有システムを提供すること。【解決手段】  コンテンツ再生装置１は、登録された電話番号に基づいて宅外に存在するコンテンツの一覧情報をユーザに提示する。また、コンテンツ再生装置１とコンテンツ提供装置２は、コンテンツ情報取得先の登録や、コンテンツの取得に認証が必要な場合は、通話して人間同士が相手を確認しながら、認証処理を行う。【選択図】図１
2008028498.tif 000002
【特許請求の範囲】
【請求項１】
宅外のIP（Internet Protocol）ネットワーク上の機器と通信を行うIP通信部と、
IP電話プロトコルを用いてIPネットワーク上の宅外の機器に接続するIP電話部と、
コンテンツ検索先情報を管理する検索先管理部と、
IPネットワーク上の宅外の機器からのコンテンツ情報取得及び表示を行うコンテンツ情報取得部と、
コンテンツ一覧で指定したコンテンツを取得するコンテンツ取得部と、
取得したコンテンツを再生するコンテンツ再生部と、を有することを特徴とするコンテンツ再生装置。
【請求項２】
宅外のIPネットワーク上の機器と通信を行うIP通信部と、
IP電話プロトコルを用いてIPネットワーク上の他の機器からの接続を受け付けるIP電話部と、
コンテンツ検索元情報を管理する検索元管理部と、
宅内の機器からコンテンツ情報を取得する宅内コンテンツ情報取得部と、
コンテンツ情報を宅外機器に提供するコンテンツ情報提供部と、
指定されたコンテンツを宅内機器から取得し、宅外機器に提供するコンテンツ送信部と、を有することを特徴とするコンテンツ提供装置。
【請求項３】
電話番号を宅外にあるコンテンツ検索先であるコンテンツ提供装置の識別子として使用し、コンテンツ情報の取得先、あるいはコンテンツの所在先を電話番号あるいは装置内部で管理するアドレス帳に記録された電話番号と1対１に関連付けられた名称、またはその両方でGUI（Graphical User Interface）上に表示する請求項１記載のコンテンツ再生装置。
【請求項４】
前記IP電話部は、コンテンツ情報取得元機器としてのコンテンツ提供装置の登録、コンテンツ情報の取得、コンテンツ取得を行う際に、装置内部で管理される電話番号を元に、IP電話プロトコルを利用して宅外コンテンツ検索先機器にアクセスする機能を備える請求項１または３の何れか１つに記載のコンテンツ再生装置。
【請求項５】
コンテンツの検索先を登録する際は、コンテンツ提供装置との間で、コンテンツ再生装置及びコンテンツ提供装置を利用するユーザ同士の通話を前提とした検索先登録認証処理を行う登録処理機能を備え、認証に成功した場合に検索先を登録する請求項１、３、４の何れか１つに記載のコンテンツ再生装置。
【請求項６】
前記請求項１、３、４及び５のコンテンツ再生装置において、コンテンツ情報を取得する際は、登録された番号を元に自動または手動で宅外のコンテンツ提供装置に接続し、当該コンテンツ提供装置からコンテンツ情報を取得して、宅内のホームネットワーク対応機器から取得したコンテンツ情報とともにユーザに提示するコンテンツ情報取得機能を備える請求項１、３、４及び５に記載のコンテンツ再生装置。
【請求項７】
コンテンツを取得する際は、コンテンツ提供装置からの要求に応じて、コンテンツ送信のための認証を行うために、ユーザ同士の通話を前提としたコンテンツ送信許可依頼を行う機能を備える、請求項１、３、４、５、６の何れか１つに記載のコンテンツ再生装置。
【請求項８】
電話番号を宅外にあるコンテンツ検索元であるコンテンツ再生装置の識別子とし、コンテンツ情報またはコンテンツの送信可否の判定に利用する機能を備える請求項２記載のコンテンツ提供装置。
【請求項９】
コンテンツ再生装置からの要求に応じて、コンテンツ提供装置及びコンテンツ再生装置を利用するユーザ間の通話を前提とした検索元認証処理を行い、認証を許可した場合に当該コンテンツ再生装置を検索元として登録する機能を備える、請求項２または８の何れか１つに記載のコンテンツ提供装置。
【請求項１０】
前記登録機能により登録済みのコンテンツ再生装置からの要求に応じて、自機及び宅内のホームネットワーク対応機器からコンテンツ情報を収集し、コンテンツ再生装置に送信する機能を備える、請求項２、８、９の何れか１つに記載のコンテンツ提供装置。
【請求項１１】
登録済みのコンテンツ再生装置からの要求に応じて、自機または宅内のホームネットワーク対応機器のコンテンツを送信する際に、コンテンツ提供装置の内部情報から送信するための認証処理が必要かどうかを判定し、必要な場合は、自コンテンツ提供装置とコンテンツ再生装置との間で、自コンテンツ提供装置及び相手先のコンテンツ再生装置を利用するユーザ間の通話を前提としたコンテンツ送信認証処理を行う機能を備える、請求項２、８、９、１０の何れか１つに記載のコンテンツ提供装置。
【発明の詳細な説明】
【技術分野】
【０００１】
本発明は、WAN(Wide Area Network)を介した複数のホームネットワーク上の機器を相互に接続し、コンテンツを簡単に共有することができるコンテンツ再生装置と、コンテンツ提供装置に関する。
【背景技術】
【０００２】
近年、ビデオカメラで撮影した映像を親戚に見せたり、デジタルカメラで撮影した画像を友人に送るなど、信頼関係のある人同士のコミュニケーション手段として、プライベートで撮影したコンテンツや録画済みのコピーフリーコンテンツをWAN上で共有するシステムが普及しつつある。
【０００３】
従来、知人宅のコンテンツを閲覧するに当たって、WAN上に存在するコンテンツ共有用機器へ接続するためには、ユーザがIPアドレスやURL(Uniform Resource Locator)を指定する必要があった。しかし、IPアドレスやURLは、比較的長い文字列であったり、動的に変わる場合もあるため扱い難く、誰もが簡単に所望のコンテンツを取得することは困難であった。
【０００４】
一方、近年では、IPネットワークを利用したIP電話が普及してきており、IP電話が利用するプロトコルでは、従来の形式の電話番号を用いてIPネットワーク上に存在するIP電話機器にアクセスすることが可能である。例えば、SIP（Session Initiation Protocol）では、WAN上に存在するSIPサーバ群で、電話番号からIPアドレスへの変換を行っている。また、標準化が行われているENUM(Telephone Number Mapping)では、国際的に一意な電話番号(国番号+各国の電話番号)とドメイン領域(「.e164.arpa」のサブドメイン)をDNS（Domain Name System）で対応づけることにより、電話番号を用いてIPネットワーク上の機器やサービスへアクセスすることが可能となる。
【０００５】
このように、電話番号を用いた機器間接続・通信方法として、特許文献１ではIP電話プロトコルと機器制御プロトコル（UPnP（Universal Plug and Play）等）との接続・変換方法が提案されている。
特許文献１に記載された方法を用いれば、IP電話と機器制御のプロトコルを接続し、IP電話プロトコルを用いて宅外からの機器制御を行うことができる。ここでは、IP電話のプロトコルが利用されるため、IP電話サービスとして提供されるセキュリティ機能を利用することが可能である。
【０００６】
【特許文献１】特開２００５−２４４２７５号公報
【発明の開示】
【発明が解決しようとする課題】
【０００７】
本方法による場合、宅外からのアクセスに対して、IP電話サービスとして提供される、着信制限機能を用いれば、通信路確立の際にアクセス元を制限することが可能である。しかし、一度通信路が確立した後のコンテンツ取得要求等に対して、要求元毎に子供を撮影したビデオや、自作の音楽などの宅外に向けて公開しているコンテンツ所在場所やその一覧といったコンテンツ情報の提示やコンテンツ送信を制限することについては、考慮されていない。
【０００８】
したがって、アクセスが可能、すなわちコンテンツ公開元の機器と通信路が確立できる相手に対しては、いつでも、誰にでも、すべてコンテンツが同じ様に公開されてしまう。このため、特定の相手にだけ公開したい場合は、他からのアクセス自体を拒否する、または誰にでも見せることのできるコンテンツだけしか公開できない、など、コンテンツを公開する際の利便性及び安全性に問題がある。
【０００９】
以上から、本発明では、電話番号を識別子として宅外コンテンツにアクセスする場合にユーザの利便性を向上させるとともに、電話の機能を利用して、個別のコンテンツへのアクセス制限や認証を簡単・確実に実行でき、誰もが利用しやすいユーザインタフェースのコンテンツ再生装置及びコンテンツ提供装置を提供することを目的としている。
【課題を解決するための手段】
【００１０】
本発明におけるコンテンツ再生装置及びコンテンツ提供装置は、IP電話部を具備し、そのアドレス帳等の機能やプロトコルを利用して電話番号を識別子としてコンテンツ検索先の指定・再生が可能なコンテンツ再生装置、と、IP電話部を具備し、アクセス元の電話番号を元にして、コンテンツ情報の提供可否や個別のコンテンツの認証レベル設定が可能であり、通話を前提とした認証処理が可能なコンテンツ提供装置から構成される。
【００１１】
また本発明では、電話機能に備えられるアドレス帳などと連動し、誰でも簡単に親しい知人の家にあるコンテンツにアクセスできるとともに、公開先の指定・認証レベルなどを設定して通話を前提とした認証を行うことでコンテンツ公開の安全性を高めたシステムを提供する。
【発明の効果】
【００１２】
本発明によれば、簡単に宅外コンテンツへのアクセス設定を行うことが可能となる。また、コンテンツを許可なく取得されることなどを防ぐことができ、セキュリティの向上を図ることも可能となる。
【発明を実施するための最良の形態】
【００１３】
以下、図面を用いて、本発明を実施するための最良の形態を説明する。
本発明における実施例として、コンテンツ再生装置及びコンテンツ提供装置が、それぞれ単一の機器として構成される場合を示す。コンテンツ再生装置及びコンテンツ提供装置は、それぞれの機能ブロックが別々の機器内に構成されていてもよいし、また、コンテンツ提供装置及びコンテンツ再生装置がすべて一つの機器で構成されていてもよい。
【００１４】
図１に本発明の実施例におけるコンテンツ再生装置及びコンテンツ提供装置を用いてコンテンツを共有する際のシステム全体を示すブロック図を示す。
本実施例においてコンテンツ取得要求を行う家庭１１には、コンテンツ再生を行うコンテンツ再生装置1と、DLNA(Digital Living Network Alliance)等のホームネットワークに対応し、LAN(Local Area Network)５経由でコンテンツの送信が可能なホームネットワーク対応機器４が複数設置されている。
また、コンテンツを提供する家庭１２には、宅内のコンテンツ情報を収集し、コンテンツを提供するコンテンツ提供装置２と、DLNA等のホームネットワークに対応し、LAN７経由でコンテンツの送信が可能なホームネットワーク対応機器６が複数設置されている。
【００１５】
上記コンテンツ再生装置１とコンテンツ提供装置２は、WAN３にて接続されている。WAN３上には、電話番号から接続先IPアドレスへの変換を行い、コンテンツ再生装置１からのリクエストをコンテンツ提供装置２に届ける、SIPロケーションサーバ９およびSIPプロキシサーバ８が存在する。
【００１６】
図２に本実施例におけるコンテンツ再生装置１のブロック図を示す。コンテンツ再生装置１は、全体の制御を行うCPU（Central Processing Unit）１０１と、ハードディスク、メモリ等から構成され、各種情報を保存する記憶領域１０３と、各種情報やコンテンツを表示する画面１０２と、コンテンツ取得部１０６により取得したコンテンツをデコードし、画面１０２に表示するコンテンツ再生部１０４と、コンテンツ検索先情報の管理を行うコンテンツ検索先管理部１０５と、宅内外の機器からコンテンツ情報を収集し、画面１０２に一覧表示するコンテンツ情報取得部１０７と、宅外コンテンツにアクセスする際に利用するIP電話部１０８と、宅内外の機器とIP通信を行うIP通信部１０９から構成される。
【００１７】
図３に本実施例におけるコンテンツ提供装置２のブロック図を示す。コンテンツ提供装置２は、全体の制御を行うCPU２０１と、各種情報を表示する画面２０２と、ハードディスク、メモリ等から構成され、各種情報を保存する記憶領域２０３と、要求されたコンテンツをコンテンツ再生装置に送信するコンテンツ送信部２０４と、コンテンツ情報取得部２０７により収集したコンテンツ情報からコンテンツ一覧情報を生成してコンテンツ再生装置に提供する、コンテンツ情報提供部２０５と、コンテンツ検索元情報を管理するコンテンツ検索先管理機能２０６と、自機及び宅内のホームネットワーク対応機器からコンテンツ情報を収集するコンテンツ情報取得部２０７と、コンテンツ再生装置からの接続要求を受け付ける際に利用するIP電話部２０８と、宅内外の機器とIP通信を行うIP通信部２０９から構成される。
【００１８】
以下、本発明におけるシステムの動作について、IP電話プロトコルとしてSIPを利用する場合の例を示す。SIPを利用する場合、IP電話部１０８または２０８が、WAN上に存在するSIPプロキシサーバ８にアクセス先電話番号を含むリクエストを送信すると、SIPロケーションサーバ９は、SIPプロキシサーバ８に当該電話番号に対応するアドレスを返し、SIPプロキシサーバは取得したアドレスにリクエストを転送する。
これによって、コンテンツ再生装置またはコンテンツ提供装置からのリクエストを相手先機器に送信することが可能となる。これにより、コンテンツ再生装置１及びコンテンツ提供装置２は、WAN３上での電話番号からのアドレス解決が可能となる。
なお、電話番号からのアドレス解決方法はSIPに限定するものではなく、同様の機能を持つ他の方法を用いても良い。
【００１９】
最初に、図４に従って、本発明のフローの概要を示す。
図２のコンテンツ再生装置１と、図３のコンテンツ提供装置２は、最初にコンテンツ検索先設定処理を行う（Ｓ１１）。コンテンツ検索先設定処理とは、予めコンテンツ再生装置１とコンテンツ提供装置２の間で通話を前提とした認証処理を行い、その情報を相互が記録して、以後、コンテンツ情報を認証なしで取得できるようにするための処理である。
【００２０】
次に、コンテンツ再生装置１は、コンテンツ提供装置２に対してコンテンツ情報送信要求を行う（Ｓ３１）。コンテンツ提供装置２は、コンテンツ情報送信要求を受信すると、当該要求発行元電話番号からコンテンツ情報を提供可能かどうかの判定を行い、可能であれば自システム及び宅内の他システムから公開可能コンテンツの情報を取得し、送信用のコンテンツ情報を生成する（Ｓ３２）。生成が完了すると、コンテンツ提供装置２はコンテンツ再生装置１に対してコンテンツ情報を送信する（Ｓ３３）。
【００２１】
次に、コンテンツ再生装置１は、取得したコンテンツ情報を一覧として表示する（S３４）。ユーザによって、表示したコンテンツ一覧からコンテンツが選択されると、コンテンツ再生装置１は当該コンテンツの送信要求をコンテンツ提供装置２に発行する（Ｓ３５）。コンテンツ提供装置２は、コンテンツ送信要求を受信すると、コンテンツ送信可否を判定し、要求元の機器にコンテンツを送信するためには認証が必要と判断した場合、コンテンツ再生装置１との間で認証処理を行う（Ｓ３６）。
認証が成功すると、コンテンツ提供装置２は、自機または宅内の機器から要求されたコンテンツを取得し（S３７）、コンテンツ再生装置１に送信する（Ｓ３８）。要求したコンテンツを受信したコンテンツ再生装置１は、これを再生する（Ｓ３９）。
【００２２】
以下に、前記の各処理の詳細を説明する。
最初に、図２、図３、図５、図６、図７、図８、図９、図１０、図１１にしたがって、  
図４のコンテンツ検索先設定処理Ｓ１１の詳細を説明する。
図５は、図２に記載するコンテンツ再生装置１における、図４のコンテンツ検索先設定処理Ｓ１１の詳細フロー図である。また、図６は、本フローＳ１０２においてコンテンツ再生装置の画面１０２が表示する、コンテンツ検索先登録時の検索先指定方法選択画面の例である。図７は、本フローＳ１０４において電話機能のアドレス帳から検索先を指定する際の指定画面の例である。図８は、本フローＳ１０５において電話番号を直接入力して検索先を指定する際の入力画面の例である。図９は、本フローＳ１０７においてコンテンツ提供装置２に登録許可依頼を発行する際の確認ダイアログの例である。
【００２３】
まず、コンテンツ検索先管理部１０５は、コンテンツ検索先の登録設定画面１１００をユーザに提示する（Ｓ１０２）。Ｓ１０３の入力方法選択において、「アドレス帳からの選択」１１０２が指定された場合、IP電話部１０８が管理するアドレス帳から電話番号情報を取得し、登録先選択画面１１１０を画面１０２に表示する（Ｓ１０４）。Ｓ１０３の入力方法選択において、「電話番号直接入力」１１０１が選択された場合、電話番号入力画面１１２０を画面１０２に表示する（Ｓ１０５）。
次に、コンテンツ検索先管理部１０５は、IP電話部１０８を利用して「アドレス帳からの選択」もしくは「電話番号直接入力」のいずれかによって指定されたコンテンツ検索先に対する通話開始処理を行う。通話開始処理では、まず、IP電話部１０８がコンテンツ提供装置２に対してINVITEリクエストを発行する。
【００２４】
INVITEとは、SIPにおいて、セッションの開始を促すためにSIPクライアントがSIPサーバに発行するリクエストである。INVITEリクエストがコンテンツ提供装置２に受け入れられると、コンテンツ提供装置２からSIPにおいてリクエストが成功したことを示すOKレスポンスが送信され、IP電話部１０８はこれを受信する。コンテンツ再生装置は、このレスポンスを解析し、コンテンツ提供装置のアドレスを取得する。ここまでで、通話開始処理が完了し、通話が開始される（S１０６）。
【００２５】
次に、コンテンツ検索先管理部１０５は、コンテンツ検索先指定許可依頼の発行を確認するダイアログ１１３０を画面１０２に表示する（Ｓ１０７）。ユーザの了解入力を確認した後、コンテンツ検索先管理部１０５は、通話開始時（Ｓ１０６）に取得した相手先アドレスを元に、コンテンツ提供装置２に対してコンテンツ検索先指定許可依頼を発行する（Ｓ１０８）。
コンテンツ検索先指定許可依頼とは、自機へのコンテンツ情報送信を許可してもらうため、コンテンツ提供装置２との間で認証処理を開始するためのリクエストである。次に、コンテンツ検索先管理部１０５は、コンテンツ提供装置からの応答を受信する（Ｓ１０９）。応答が受諾応答の場合、コンテンツ検索先管理部１０５は、コンテンツ再生装置内の記憶領域１０３に検索先として、相手先コンテンツ提供装置２の電話番号を登録する（Ｓ１１０）。
【００２６】
一方、応答が拒否応答の場合、コンテンツ検索先管理部１０５は、拒否された旨を画面１０３に表示する（Ｓ１１１）。上記一連の処理が完了すると、通話を終了し、コンテンツ検索先設定処理は完了する。なお、Ｓ１１からＳ１３までの間では通常の音声通話が使用可能であり、ユーザは音声で通話相手にＳ１０８に相当する依頼を行っても良い。
【００２７】
図１０は、図３のコンテンツ提供装置２におけるコンテンツ検索先設定処理Ｓ１１の詳細フロー図である。また、図１１は、本処理Ｓ１２３においてコンテンツ提供装置が表示する登録依頼の受諾を確認するダイアログの画面例である。コンテンツ提供装置２は、最初に、IP電話部２０８によってコンテンツ再生装置１と通話開始処理を行う（Ｓ１２１）。  
次に、コンテンツ検索元管理部２０６において、コンテンツ検索先指定許可依頼を受信し（Ｓ１２２）、検索先指定許可依頼の受諾可否確認及び認証レベル設定のための確認ダイアログ１２００を画面２０２に表示する（Ｓ１２３）。受諾可否の選択Ｓ１２４において、ユーザが受諾可を選択した場合、コンテンツ検索元管理部２０６は、記録領域２０３に検索元であるコンテンツ再生装置１の電話番号及び認証レベルを登録（Ｓ１２５）した後、コンテンツ再生装置１に受諾応答を発行する（Ｓ１２６）。S１２６の受諾応答と同時に暗号鍵を発行すれば、以後の通信を暗号化し、さらに安全性を高めることも可能である。受諾可否選択Ｓ１２４において、ユーザが拒否を選択した場合、コンテンツ検索元管理部２０６は、コンテンツ再生装置１に拒否応答を発行する（Ｓ１２７）。
【００２８】
上記実施例では、コンテンツ検索先設定のための通話開始はコンテンツ再生装置側から行ったが、これをコンテンツ提供装置側から行ってもよい。この場合、通話開始後にコンテンツ提供装置から検索先登録依頼を発行し、コンテンツ再生装置でこれを許可して当該コンテンツ提供装置の電話番号を検索先として登録する。これにより、公開したいコンテンツを作成した場合に、公開の通知と同時に公開許可を行うことが可能となる。
【００２９】
また、上記実施例では通話しながらの検索先指定許可の発行を前提としたが、コンテンツ提供システム側であらかじめ許可する検索先を登録しておくことで、通話を省略することも可能である。
以上で、コンテンツ検索先設定は完了する。以後は、システムで自動的に検索先のコンテンツ情報を取得してもよいし、ユーザが希望するタイミングで設定した検索先からコンテンツ情報を取得してもよい。
【００３０】
次に、図２、図３、図４、図１２、図１３、図１４、図１５に従って、コンテンツ取得処理・再生処理の詳細を説明する。
図１２は、図２に記載するコンテンツ再生装置１における、図４に記載のコンテンツ情報送信要求Ｓ３１から、コンテンツ再生Ｓ３９までの詳細フロー図である。また、図１３は、本処理Ｓ２０１及びＳ２０４においてコンテンツ再生装置が宅内のホームネットワーク対応機器及びコンテンツ提供装置から取得したコンテンツ情報を元に生成したコンテンツ一覧の画面表示例である。図１４は、本処理Ｓ２０７においてコンテンツ取得に認証が必要な場合の、認証要求確認ダイアログの画面例である。
【００３１】
まず、コンテンツ情報取得部１０７は、DLNAなどの規格に基づいて宅内のホームネットワーク対応機器４からコンテンツ情報を収集する（S２０１）と共に、コンテンツ検索先登録処理により登録された機器に対して、電話番号を元に、IP電話部１０８を利用してコンテンツ情報取得要求を発行する（Ｓ２０２）。ここまでで、Ｓ３１のコンテンツ情報送信要求処理が完了する。
次に、コンテンツ情報取得部１０７は、宅外のコンテンツ提供装置２から、コンテンツ情報を受信する（Ｓ２０３）。次にコンテンツ情報取得部１０７は、取得した情報を基にしてコンテンツ一覧表示２１００を画面１０２に表示する（Ｓ２０４）。
【００３２】
処理Ｓ２０３〜Ｓ２０４は、S３４のコンテンツ情報表示処理に対応する。コンテンツ一覧表示２１００において、２１０１は、コンテンツが存在する機器をアドレス帳に登録された氏名もしくはニックネームと共に、電話番号を表示することで示している。本実施例では、宅外のコンテンツの所在はどの家にあるか、という表示であるが、これを「誰の家の、どの機器」と表示してもよい。
また、本表示例は、すべてのコンテンツを一度に表示する例であるが、所在先機器やジャンル、日付などの情報で分類し、階層的に表示してもよい。
【００３３】
次に、ユーザが閲覧したいコンテンツを選択すると、コンテンツ取得部１０６は、コンテンツ提供装置２に対し、当該コンテンツの送信要求を発行する（Ｓ２０５）。なお、処理Ｓ２０５は、処理Ｓ３５に等しい。コンテンツ提供装置２において、コンテンツ送信が許諾された場合は（Ｓ２０６）、コンテンツ取得部１０６は、コンテンツ受信を開始する（Ｓ２１１）。
コンテンツ取得部１０６は、コンテンツを受信すると、コンテンツ再生部１０４に再生指示を行い、コンテンツ再生部は、コンテンツ再生を開始して取得したコンテンツを画面１０２に表示する（Ｓ２１２）。
【００３４】
処理S２１１〜S２１２は、S３９のコンテンツ再生処理に対応する。一方、コンテンツ提供装置２において、コンテンツ送信にはコンテンツ提供装置２における許可処理が必要と判断された場合は、コンテンツ取得部１０６は、認証開始要求を受信する（S２０６）。
認証開始要求を受信すると、コンテンツ取得部１０６は、送信許可依頼発行の確認ダイアログ２２００を画面１０２に表示する（Ｓ２０７）。ユーザにより送信許可依頼発行が許可されると、コンテンツ取得部１０６は、IP電話部１０８を利用してコンテンツ提供装置２に対して通話開始処理を行い（S２０８）、通話が始まった後、コンテンツ送信許可依頼を発行する（S２０９）。
【００３５】
コンテンツ提供装置２において認証処理が実行され、コンテンツ送信が許可された場合、コンテンツ提供装置２からコンテンツ送信許可応答及びアクセス用ポート番号を受信する（S２１０）。ここまでで、処理S３６の認証処理が完了する。次に、コンテンツ取得部１０６は、コンテンツ提供装置２の前記処理S２１０で取得したポートにアクセスし、コンテンツ受信を開始する（S２１１）。
【００３６】
コンテンツ取得部１０６は、コンテンツを受信すると、コンテンツ再生部１０４に再生指示を行い、コンテンツ再生部は、コンテンツ再生を開始して取得したコンテンツを画面１０２に表示する（S２１２）。処理S２１１〜S２１２は、S３８のコンテンツ再生処理に対応する。コンテンツ提供装置２において、ユーザが不在である・ユーザが拒否する、などの理由によってコンテンツ送信が拒否された場合は、コンテンツ送信拒否応答を受信する（S２１０）、処理を終了する。
【００３７】
図１５は、図３に記載するコンテンツ提供装置２における、図４のコンテンツ情報送信要求受信S３１から、コンテンツ送信S３８までの詳細フロー図である。また、図１６は、本処理S３１４における、認証（送信許可）処理が必要なコンテンツを送信する際の送信許可確認ダイアログの画面例である。最初に、コンテンツ情報提供部２０５は、コンテンツ送信装置から発行されたコンテンツ情報送信要求を受信する（S３０２）。
【００３８】
本処理は、S３１に対応する。コンテンツ情報提供部２０５は、コンテンツ検索元管理部２０６に、コンテンツ情報の送信可否を問い合わせ、送信可否判定を行う（S３０３）。コンテンツ検索元管理部２０６では、要求元機器との間にコンテンツ検索先設定処理S１１が完了しているかどうかを確認し、完了している場合は要求元機器に対してコンテンツ情報送信が可能であると判定する。コンテンツ検索元管理部２０６において要求元機器に対するコンテンツ情報送信は不可であると判定された場合、コンテンツ再生装置１に送信拒否応答を発行し（S３１７）、処理を終了する。
【００３９】
コンテンツ検索元管理部２０６において要求元機器に対するコンテンツ情報送信が可能であると判定された場合、コンテンツ情報提供部２０５は、自機及び宅内のホームネットワーク対応機器６から公開可能なコンテンツ情報を取得する（S３０４）。コンテンツ情報を取得した後、コンテンツ情報提供部２０５は、取得した情報から、コンテンツ再生装置に送信するコンテンツ情報を生成する（S３０５）。ここまでで、S３２のコンテンツ情報取得処理が完了となる。
【００４０】
次に、コンテンツ情報提供部２０５は、当該情報をIP通信部２０９からコンテンツ再生装置１に送信する（S３０６）。処理S３０６は、S３３のコンテンツ情報送信処理に対応する。次に、コンテンツ再生装置１から発行されたコンテンツ送信要求を受信する（S３０７）。処理S３０７はS３５に対応する。コンテンツ検索元管理部２０６は要求されたコンテンツについてアクセス元電話番号と、コンテンツ及び機器に設定される認証情報を参照し、認証要否を判定する（S３０８）。認証情報は、当該コンテンツ送信時にユーザによる認証が必要かどうかを判定するための情報であり、コンテンツ毎、機器毎、その両方に設定することが可能である。また、設定内容についても対象コンテンツや要求元機器、ジャンルや当該要求が行われた時刻など、さまざまな設定の中から、最適なものを選択すればよい。
【００４１】
判定の結果が「認証不要」の場合、コンテンツ送信部２０４は、自機または宅内のホームネットワーク対応機器から要求されたコンテンツを取得（Ｓ３０９）し、コンテンツ再生装置１に送信する（S３１０）。判定の結果が「認証要」の場合、コンテンツ送信部２０４は、コンテンツ再生装置１と自機の間で認証処理が必要であるため、コンテンツ再生装置１に対して認証開始命令を発行する（S３１１）。
【００４２】
次に、IP電話部２０８は、コンテンツ再生装置１からの通話要求を受け付け、通話開始処理を行う（S３１２）。通話が開始されると、コンテンツ検索元管理部２０６はコンテンツ再生装置１からのコンテンツ送信許可依頼を受信し（S３１３）、コンテンツ送信許可確認ダイアログ２３００を画面２０２に表示する（S３１４）。次に、コンテンツ検索元管理部は、ユーザからの入力を受け付け、コンテンツ送信許可または拒否を判定する（S３１５）。判定の結果、コンテンツ送信が許可された場合、コンテンツ検索元管理部２０５は、コンテンツ再生装置１にコンテンツ送信許可応答を送信する（S３１６）。
【００４３】
コンテンツ送信許可応答には、コンテンツ送信に利用するコネクション用のポート番号を付加してもよい。ここで指定するコンテンツ送信用コネクションのポート番号は、安全性を向上させるためにコンテンツ情報送信用のポート番号、あるいはコンテンツ情報に記述されるポート番号と異なるものを指定することも可能とする。また、コンテンツ毎や時間で異なる値を設定したり、ランダムな値を設定することも可能である。コンテンツ検索元管理部は、ここで設定されたポート番号と検索元電話番号を管理し、送信許可応答として提供したポート番号と異なるポートへのアクセスを排除する。
【００４４】
ここまででS３６の認証処理が完了となる。次に、コンテンツ送信部２０４は、自機またはコンテンツが所在する宅内の機器からコンテンツを取得する（S３０９）。本処理S３０９は、処理S３７に対応する。コンテンツ送信部２０４は、コンテンツ取得が成功すると、コンテンツ送信用にコンテンツ再生装置１との間で確立されたコネクションを利用して、コンテンツ送信を開始する（S３１０）。ここまで、S３７のコンテンツ送信処理が完了する。
【００４５】
一方、コンテンツ送信が許可されなかった場合、コンテンツ検索元管理部２０５は、コンテンツ再生装置１にコンテンツ送信拒否応答を送信し（S３１７）、処理を終了する。本フローでは、ユーザの確認による認証のみの例を示したが、パスワード、パスフレーズ、声紋等を利用して通話成立と同時に自動的に認証を行うことも可能である。また前記認証方法を複数組み合わせてシステムを構成することも可能である。
【００４６】
上記実施例では、コンテンツ再生装置が自動で登録されたすべての検索先からコンテンツ一覧を取得する例を示したが、ネットワーク資源、アクセスの頻度など、必要に応じてユーザが必要とする登録先のみ検索してもよい。図１７は宅外のコンテンツ検索先指定画面例である。また、図１８は、宅外・宅内に関わらずコンテンツ検索可能なデバイスからコンテンツ情報を取得する場合の、検索先指定画面例である。
【００４７】
また、上記実施例では、コピー可能なプライベート・コンテンツの場合のみに言及しているが、著作権管理が必要なコンテンツについても、別途著作権保護を行うことで、プライベート・コンテンツと同様に扱うことが可能であり、利用シーンに応じて最適なものを適用すればよい。
上記実施例において、携帯電話をリモートコントローラとして利用し、電話番号で個人を識別してアクセス制御を行えば、宅内外からの各コンテンツへのアクセス制御を、統一的に行うことも可能である。
【００４８】
上記によれば、宅外のコンテンツ検索先の指定に電話番号を使用し、通話を前提とした設定を可能とすることで、子供やお年寄りに操作方法などを直接教えながら設定することができるなど、誰もが簡単に宅外コンテンツへのアクセス設定を行うことが可能となる。
また、通話を前提としてコンテンツ提供者が直接相手を確認する認証方法とすることで、コンテンツを許可なく取得されることなどを防ぐことができ、セキュリティの向上を図ることも可能となる。
【図面の簡単な説明】
【００４９】
【図１】本発明の実施例におけるコンテンツ再生装置及びコンテンツ提供装置の全体構成例である。
【図２】コンテンツ再生装置のブロック図である。
【図３】コンテンツ提供装置のブロック図である。
【図４】全体処理概要を示すフロー図である。
【図５】コンテンツ再生側の検索先登録処理フロー図である。
【図６】コンテンツ検索先登録時の検索先指定方法の選択画面である。
【図７】電話帳からのコンテンツ検索先選択画面である。
【図８】電話番号入力画面である。
【図９】検索先登録許可依頼の発行確認ダイアログである。
【図１０】コンテンツ提供側の検索先登録処理フロー図である。
【図１１】検索先登録の許可確認ダイアログである。
【図１２】コンテンツ取得・再生処理のフロー図である。
【図１３】コンテンツ再生装置が取得したコンテンツ一覧情報の画面表示例である。
【図１４】コンテンツ取得に認証が必要な場合の、認証要求確認ダイアログの画面例である。
【図１５】コンテンツ提供処理のフロー図である。
【図１６】認証が必要なコンテンツ送信時の送信許可確認ダイアログの画面例である。
【図１７】宅外のコンテンツ検索先指定画面例である。
【図１８】宅外・宅内に関わらずコンテンツ検索可能なデバイスからコンテンツ情報を取得する場合の、検索先指定画面例である。
【符号の説明】
【００５０】
１  コンテンツ再生装置
２  コンテンツ提供装置
３  IPネットワーク
４  ホームネットワーク対応機器
５  宅内IPネットワーク
６  ホームネットワーク対応機器
７  宅内IPネットワーク
１１  家庭
１２  家庭
１０１  CPU
１０２  画面
１０３  記憶領域
１０４  コンテンツ再生部
１０５  コンテンツ検索先管理部
１０６  コンテンツ取得部
１０７  コンテンツ情報取得部
１０８  IP電話部
１０９  IP通信部
２０１  CPU
２０２  画面
２０３  記憶領域
２０４  コンテンツ送信部
２０５  コンテンツ情報提供部
２０６  コンテンツ検索元管理部
２０７  宅内コンテンツ情報取得部
２０８  IP電話部
２０９  IP通信部
１１００  コンテンツ検索先として登録を希望する対象の指定方法の選択画面
１１０１  電話番号直接入力ボタン
１１０２  電話帳利用ボタン
１１１０  登録先選択画面
１１２０  電話番号入力画面
１１３０  コンテンツ検索先指定許可依頼発行を確認するダイアログ
１２００  検索元登録可否確認  及び  認証レベル設定ダイアログ
２１００  コンテンツ再生装置が取得したコンテンツ一覧情報の画面表示例
２２００  認証依頼発行の確認ダイアログ
２３００  認証が必要なコンテンツ送信時の送信許可確認ダイアログ
【図１】
2008028498.tif 000003
【図２】
2008028498.tif 000004
【図３】
2008028498.tif 000005
【図４】
2008028498.tif 000006
【図５】
2008028498.tif 000007
【図６】
2008028498.tif 000008
【図７】
2008028498.tif 000009
【図８】
2008028498.tif 000010
【図９】
2008028498.tif 000011
【図１０】
2008028498.tif 000012
【図１１】
2008028498.tif 000013
【図１２】
2008028498.tif 000014
【図１３】
2008028498.tif 000015
【図１４】
2008028498.tif 000016
【図１５】
2008028498.tif 000017
【図１６】
2008028498.tif 000018
【図１７】
2008028498.tif 000019
【図１８】
2008028498.tif 000020